(57)【要約】      （修正有）【課題】生花を飾ることができ、且つ、光源からの光による装飾効果を発揮することができる花瓶を提供する。【解決手段】花瓶１００は、貯水容器３と、貯水容器３を囲うように配置された、透光性材料から成る装飾壁部２と、装飾壁部２の下端部から該装飾壁部２の内部に光を投入するＬＥＤ光源と、を有し、装飾壁部２は全体が光拡散部とされており、その上部２１及び下部２２の表面にはシワ模様（シボ）２３が形成されている。また、上部２１の上縁部は複数の円弧面から構成されている。装飾壁部２の中間部２４には、様々な形状の組み合わせから成る凹凸模様２４１が複数形成されている。装飾壁部２の下端部は基台１の上部に固定されている。ＬＥＤ光源は、基台１の内部であって装飾壁部２の下端部の下方に配置されている。【選択図】図１
0003211356.tif 000002
【実用新案登録請求の範囲】
【請求項１】
a) 貯水容器と、
b) 前記貯水容器を囲うように配置された、透光性材料から成る装飾壁部と、
c) 前記装飾壁部の下端部から該装飾壁部の内部に光を投入するＬＥＤ（Light Emitting Diode）光源と、
d) 前記装飾壁部に形成された、該装飾壁部の内部に進入した光を外部に拡散する光拡散部と、
を備えることを特徴とする花瓶。
【請求項２】
前記貯水容器と前記装飾壁部とが分離可能に構成されていることを特徴とする請求項１に記載の花瓶。
【請求項３】
前記光拡散部が、前記装飾壁部の表面に形成された１乃至複数の凹凸模様から構成されていることを特徴とする請求項１又は２に記載の花瓶。
【請求項４】
前記光拡散部が、前記装飾壁部に形成された１ないし複数の透かし彫り模様から構成されていることを特徴とする請求項１又は２に記載の花瓶。
【請求項５】
前記貯水容器が透光性を有する材料から形成され、
前記ＬＥＤ光源が、前記貯水容器の下部から該貯水容器の内部に光を投入することを特徴とする請求項１〜４のいずれかに記載の花瓶。
【考案の詳細な説明】
【技術分野】
【０００１】
本考案は、生花を飾る花瓶に関し、特に、葬儀葬祭等の宗教行事で用いられる花瓶に関する。
【背景技術】
【０００２】
仏教では、故人が亡くなってから四十九日目（中陰法要、忌明）に至るまで、七日毎に追善供養が行われ、その際、仏壇や祭壇に花を挿した花瓶が飾られる。従来の葬儀葬祭等の宗教行事では、陶製や金属製の容器の表面に模様や絵柄が描かれた花瓶が用いられてきたが、いずれの花瓶も質素なもので、装飾効果が乏しかった。
【０００３】
これに対して、特許文献１には、壺状の容器の内部に光源を収容した花瓶が記載されている。この花瓶は、容器の上部開口を塞ぐ蓋に造花の茎が挿入可能な複数の有底の穴が形成されている。容器の周壁部には透かし彫り等により透光性を有する模様が形成されており、容器内の光源が点灯すると、その光が透光性を有する模様から外部に放出されて装飾効果を発揮する。
【先行技術文献】
【特許文献】
【０００４】
【特許文献１】実開昭59-169774号公報
【考案の概要】
【考案が解決しようとする課題】
【０００５】
特許文献１に記載の花瓶は、造花を飾ることを目的として構成されており、生花を生けることができない。生花は、造花では得られない自然な色合いやみずみずしさを有しており、仏壇や祭壇に生花を飾りたいという要望があるが、上述の花瓶ではそのような要望に応えることができない。
なお、ここでは、葬儀葬祭等の宗教行事で生花を飾る場合を例に挙げて説明したが、結婚式や還暦祝い、入学式、卒業式、成人式等の様々な行事、或いは一般家庭で生花を飾る場合も同様の問題があった。
【０００６】
本考案が解決しようとする課題は、生花を飾ることができ、且つ、光源からの光による装飾効果を発揮することができる花瓶を提供することである。
【課題を解決するための手段】
【０００７】
上記課題を解決するために成された本考案に係る花瓶は、
a) 貯水容器と、
b) 前記貯水容器を囲うように配置された、透光性材料から成る装飾壁部と、
c) 前記装飾壁部の下端部から該装飾壁部の内部に光を投入するＬＥＤ（Light Emitting Diode）光源と、
d) 前記装飾壁部に形成された、該装飾壁部の内部に進入した光を外部に拡散する光拡散部と、
を備えることを特徴とする。
【０００８】
本考案に係る花瓶では、貯水容器に水を入れ、そこに生花をいける。この状態でＬＥＤ光源を点灯すると、その光が装飾壁部の下端部から該装飾壁部の内部に進入し、上方に向かって進行する。装飾壁部の内部を上方に向かって進行する光は、光拡散部を通過する際にそこから装飾壁部の外部に拡散され、拡散光による装飾効果を発揮する。
【０００９】
本考案に係る花瓶は、貯水容器と装飾壁部を分離可能に構成されていることが好ましい。この構成では、貯水容器に水を入れる際や汚れた貯水容器を洗浄する際に装飾壁部から貯水容器を分離することができるため、これらの作業を容易に行うことができる。
【００１０】
透光性を有する材料としては、ガラスやアクリル樹脂などのプラスチックが挙げられる。この場合、無色、有色のいずれのガラスやプラスチックを用いても良い。
光拡散部は、装飾壁部の表面に形成された例えばガラスの切子細工のような凹凸模様や透かし彫りのような模様から構成することができる。また、装飾壁部の内部や表面にひび（クラック）が入ったような模様を形成しても良い。光拡散部を凹凸模様や透かし彫り模様、ひび模様から構成すると、これら模様の形状や、模様を形作る切断面等の向きに応じた様々な方向に光を拡散させることができ、装飾効果が向上する。
【００１１】
また、本考案に係る花瓶は、前記貯水容器が透光性を有する材料から形成され、前記ＬＥＤ光源が貯水容器の下部から該貯水容器の内部に光を投入することが好ましい。この構成では、装飾壁部と貯水容器の両方の内部をそれぞれ光が通過することによって相乗的な装飾効果を発揮する。この場合、貯水容器の表面に、カット加工等により、貯水容器の内部を通過する光を外部に放出する際にその光を拡散させるような模様を形成すると、この模様から放出・拡散される光と、装飾壁部の光拡散部から拡散される光とが組み合わされて、優れた装飾効果を発揮することができる。また、この構成では、模様が異なる複数の貯水容器を用意しておくことにより、装飾壁部に配置する貯水容器を交換することで、得られる装飾効果を違ったものとすることができる。
【考案の効果】
【００１２】
本考案の花瓶によれば、生け花を飾ることができ、しかも、光源からの光による装飾効果を発揮することができる。
【図面の簡単な説明】
【００１３】
【図１】本考案の第１実施例に係る花瓶の構成を示しており、（ａ）は上面図、（ｂ）は正面図、（ｃ）は装飾壁部と貯水容器の関係を説明するための図、（ｄ）は貯水容器の正面図、（ｅ）は貯水容器の上面図。
【図２】基台の内部構造を示し、（ａ）は上面図、（ｂ）は縦断側面図。
【図３】本考案の第２実施例に係る花瓶が備える貯水容器の構成を示しており、（ａ）は上面図、（ｂ）は或る種類の貯水容器の正面図、（ｃ）は別の種類の貯水容器の正面図。
【図４】本考案に係る装飾壁部の変形例を示す正面図。
【図５】本考案に係る貯水容器の変形例を示す正面図（ａ）、ＬＥＤ光源の配置の変形例を示す上面図（ｂ）。
【考案を実施するための形態】
【００１４】
以下、本考案に係る花瓶の具体的な実施例について図面を参照しながら説明する。
【００１５】
［実施例１］
図１は本考案の第１実施例に係る花瓶の構成を示している。花瓶１００は、基台１と、該基台１の上部に固定された、下端部から上端部に向かって拡開する筒状の装飾壁部２と、該装飾壁部２の内側に配置された貯水容器３とを備える。
【００１６】
装飾壁部２は無色の透明アクリル樹脂から形成されており、その中を光が通過可能となっている。装飾壁部２は、その下端部が基台１の上面に形成された凹部１４（図２参照）に嵌合されている。
【００１７】
装飾壁部２は全体が光拡散部とされており、その上部２１及び下部２２の表面（外周面）にはシワ模様（シボ）２３が形成されている。また、上部２１の上縁部は複数の円弧面から構成されている。装飾壁部２の中間部２４には、様々な形状の組み合わせから成る凹凸模様２４１が複数形成されている。装飾壁部２を例えば射出成形により製造する場合は、上述のシワ模様２３や凹凸模様２４１に対応する模様を内面に有する成形型を用いることで、装飾壁部２の表面にシワ模様２３や凹凸模様２４１を形成することができる。
【００１８】
貯水容器３は、無色の透明アクリル樹脂から形成された、下端部から上端部に向かって拡開する有底筒状の容器からなり、外周面の上部には、３個のほぼ半円状の突片部３１が等間隔に形成されている。これらの突片部３１によって貯水容器３は装飾壁部２の内側の所定位置に配置される（図１（ｃ）参照）。
【００１９】
図２に示すように、基台１の上面には円形状の凹部である光源収容部１１が形成されており、該光源収容部１１の底部にその内周面に沿って例えば６個のＬＥＤ電球１２が配置されている。光源収容部１１の上部開口は円板状の透明な蓋１３で閉じられている。蓋１３は基台１の上面よりもやや下方に位置しており、蓋１３と光源収容部１１の内周面とから形成される凹部１４に装飾壁部２の下端部が嵌合される。凹部１４に装飾壁部２の下端部を嵌合したとき、該下端部の下部に６個のＬＥＤ電球１２が位置する。
【００２０】
ＬＥＤ電球１２は複数のＬＥＤチップ（図示せず）を備えており、点灯させるＬＥＤチップの数を異ならせることによりＬＥＤ電球１２が発する光の強度を変化させるように構成されている。なお、ＬＥＤ電球１２は、例えば赤、青、緑などの異なる色の光を発する複数のＬＥＤチップから構成し、各ＬＥＤチップの光の強度が互いに異なる周期で自動的に変化することにより、ＬＥＤ電球１２が発する光の色及び強度を変化させるようにしても良い。また、６個のＬＥＤ電球１２をそれぞれ異なる色の光を発するＬＥＤ電球から構成しても良い。
【００２１】
また、図示しないが、上記基台１の内部には上述したほかに、ＬＥＤ電球１２の電源回路、商用電源からの入力電流を交流から直流に変換するための整流回路、出力電圧を安定化するための電圧調節回路等が収容されている。
【００２２】
上記花瓶１００では、装飾壁部２から貯水容器３を取り出して水を入れ、再び、装飾壁部２の内側に貯水容器３を配置した後、該貯水容器３に生花をいける。なお、貯水容器３に生花をいけてから装飾壁部２に貯水容器３を配置しても良い。この状態でＬＥＤ電球１２に電力を供給して該ＬＥＤ電球１２を点灯させると、その光が装飾壁部２の下端部に投入され、該下端部から装飾壁部２の内部に進入する。そして、装飾壁部２内を上に向かって進行した光は、まずは下部２２を通過する際にシワ模様２３を通して外部に拡散され、続いて中間部２４を通過する際に各凹凸模様２４１を通して外部に拡散される。このとき、各凹凸模様２４１を画定する各面の向きによって様々な方向に光が拡散され、花瓶１００の周囲に柔らかい光が放たれる。また、下部２２のシワ模様２３及び凹凸模様２４１から外部に拡散されなかった光は、そのまま装飾壁部２内を上方に進み、上部２１のシワ模様２３を通して外部に拡散されるとともに、装飾壁部２の上縁部から外部に放出される。
【００２３】
一方、ＬＥＤ電球１２からの光の一部は貯水容器３内にも進入する。そのため、無色透明の貯水容器３が光の色を呈し、貯水容器３の色と装飾壁部２から放出される光の色と合わさった、複雑で幻想的な色を表現することができる。
【００２４】
法要の期間中、花瓶１００に生花を飾った後、該生花を廃棄する際は、装飾壁部２から貯水容器３を取り出して水とともに花を廃棄する。そして、貯水容器３を洗浄した後、装飾壁部２に配置する。このように、本実施例では、装飾壁部２から貯水容器３を取り出し可能に構成したため、貯水容器３に水や生花を入れたり、貯水容器３から水や生花を取り出したり洗浄したりする作業を容易に行うことができる。
【００２５】
［第２実施例］
この実施例に係る花瓶は、交換可能な複数種類の貯水容器１０３を備えている。図３に示すように、各貯水容器１０３は無色の透明アクリル樹脂からなり、その外周面にはシワ模様１３１及び凹凸模様１３２が形成されている。また、各貯水容器１０３の上部の外周面には上下方向に長い、ほぼ半円状の突片部１３３が３個、ほぼ等間隔に設けられている。突片部１３３により、貯水容器１０３は装飾壁部２の内側の所定位置に配置される。シワ模様１３１及び凹凸模様１３２は、第１実施例にて説明した装飾壁部２のシワ模様２３及び凹凸模様２４１と同様の方法で形成されている。
【００２６】
複数種類の貯水容器１０３のそれぞれが備えるシワ模様１３１及び凹凸模様１３２の少なくとも一つは、他の種類の貯水容器１０３と異なっている。例えば図３（ｂ）及び（ｃ）は、シワ模様１３１は同じで凹凸模様１３２が異なる２種類の貯水容器１０３Ａ、１０３Ｂを示している。貯水容器１０３Ａの外周面には２枚の葉の模様を組み合わせて成る凹凸模様１３２が形成されており、貯水容器１０３Ｂの外周面には、４個の剣を組み合わせてなる凹凸模様１３２が形成されている。上述した以外の花瓶の構成は第１実施例と同じである。
【００２７】
本実施例に係る貯水容器１０３を、生花をいけた状態で装飾壁部２の内側に配置し、ＬＥＤ電球１２を点灯すると、ＬＥＤ電球１２からの光は装飾壁部２及び貯水容器１０３の両方の内部に進入する。装飾壁部２及び貯水容器１０３の内部に進入した光は、それぞれのシワ模様２３、１３１及び凹凸模様２４１、１３２から外部に拡散されて放出される。つまり、貯水容器３のシワ模様１３１及び凹凸模様１３２による光の拡散と、装飾壁部２のシワ模様２３及び凹凸模様２４１による光の拡散の組み合わせによる、複雑な光の拡散が生じ、相乗的な装飾効果が得られる。
【００２８】
さらに、本実施例では、複数種類の貯水容器１０３を備えており、装飾壁部２の内側に配置する貯水容器１０３を選択することができる。複数種類の貯水容器１０３はその外周面に形成されたシワ模様１３１及び凹凸模様１３２の少なくとも一つが他の種類の貯水容器１０３のものと異なっているため、選択した貯水容器１０３の種類によって、装飾壁部２のシワ模様２３及び凹凸模様２４１との組み合わせによって得られる装飾効果を異ならせることができる。
【００２９】
なお、本考案は上述の実施例に限定されるものではなく、本考案の趣旨を逸脱しない範囲で種々の変更が可能である。
【００３０】
第１及び第２実施例に係る装飾壁部２の表面に形成した複数の凹凸模様２４１に代えて、図４に示すような凹凸３０１と孔３０２の組み合わせから成る模様３００を形成しても良い。また、図示しないが、透かし彫りのような彫刻模様を形成しても良く、装飾壁部２の中にひび（クラック）のような模様を形成しても良い。これらはいずれも光拡散部を構成する。
また、上記実施例では装飾壁部２の外周面の上部及び下部にシワ模様を形成したが、上部、下部、及び中間部の全て、つまり、外周面の全体にシワ模様を形成しても良く、また、上部と中間部、及び下部と中間部の外周面にシワ模様を形成しても良く、上部、下部、及び中間部のいずれか一つにのみシワ模様を形成しても良い。中間部にシワ模様を形成する場合はさらに凹凸模様を形成しても良い。さらにまた、装飾壁部２の外周面にはシワ模様が無くても良い。この場合は、凹凸模様２４１や凹凸と孔との組み合わせから成る模様、ひび模様等が光拡散部となる。
【００３１】
さらに、図５（ａ）に示すように、貯水容器４０３の横断面形状を多角形状とするとともに底面を半球状にし、貯水容器４０３の外周面に上下方向に延びる角部４３０を設けても良い。この構成では、貯水容器４０３の内部を通過する光が角部４３０から漏出するため、角部４３０に沿って線状の発光部分が形成される。このような構成でも、貯水容器４０３を装飾壁部２の内側に配置したときに貯水容器４０３の発光部分と装飾壁部２のシワ模様２３や凹凸模様２４１の両方から拡散される光が合わさった模様を表現することができる。また、突片部３１に代えて環状のフランジ４３１を貯水容器４０３の上部の外周部に設けても良い。このような構成でも、装飾壁部２の内側の所定位置に貯水容器４０３を配置することができる。
【００３２】
さらに、図５（ｂ）に示すように、基台１の内部にＬＥＤ電球１２とは別に、光源収容部１１の中央部にＬＥＤ電球１２ａを設けてもと良い。中央部のＬＥＤ電球１２ａは１個に限らず２個以上でも良い。中央部にＬＥＤ電球１２ａを設けることにより、より多くの光を装飾壁部及び貯水容器の内部に進入させることができる。
【００３３】
さらにまた、上記実施例では装飾壁部から貯水容器を取り出し可能に構成したが、装飾壁部内に貯水容器が固定されていても良い。
上記実施例では基台の内部にＬＥＤ電球を収容したが、装飾壁部の下端部に直接ＬＥＤ光源（ＬＥＤチップ）を埋め込んでも良い。
基台の内部に配置した複数のＬＥＤ電球は、それぞれが異なる周期で光の色及び強度が変化するようにしても良い。
装飾壁部は、例えば複数の板状の部材を基台の上に筒状に配置して構成したものでも良い。
【符号の説明】
【００３４】
１００…花瓶
１…基台
１１…光源収容部
１２…ＬＥＤ電球
２…装飾壁部
２１…上部
２２…下部
２３…シワ模様
２４…中間部
２４１…凹凸模様
３、１０３（１０３Ａ、１０３Ｂ）…貯水容器
３１、１３３…突片部
１３１…シワ模様
１３２…凹凸模様
【図１】
0003211356.tif 000003
【図２】
0003211356.tif 000004
【図３】
0003211356.tif 000005
【図４】
0003211356.tif 000006
【図５】
0003211356.tif 000007